(57)【特許請求の範囲】
【請求項１】
熱可塑性樹脂材料からなる変形自在な袋体であって、
袋本体（１）の開口部（11）近傍の周縁に長手部材（20）が一対の基端部（22）において接合されて、把手部（２）が形成されている一方、
前記袋本体（１）の底面（12）近傍の周縁には長手部材（30）が接合されて、前記把手部（２）の下方における、袋本体（１）の側面（13）と長手部材（30）との間に挿通部（３）が形成されており、
前記袋本体（１）の底面（12）の上に収容物を載置した状態で、前記把手部（２）を挿通部（３）に挿通して、
当該把手部（２）を頂点（21）に向けて鉛直上方に引き上げることによって、
収容物が自重によって静止した状態で、把手部（２）の基端部（22）同士が近接して開口部（11）が閉塞されるとともに、
長手部材（30）の接合部（31）同士が底面（12）の上方で互いに寄り合うことによって、収容物の下面周縁が袋本体（１）の底面（12）ないし側面（13）に支持されて、
当該収容物を略水平姿勢に保持して吊支できることを特徴とする水平保持袋。
【請求項２】
長手部材（20・30）が細幅シート状であって、これらの長手部材は互いに平行に配設されており、少なくとも長手部材（30）の接合部（31）は、袋本体（１）の側面（13）に対して曲線状境界で熱融着されていることを特徴とする請求項１記載の水平保持袋。
【請求項３】
袋本体（１）の底面（12）の端部における底接合部（12Ｂ）が、長手部材（30）を含めて一体に熱融着されて、かつ、この底接合部（12Ｂ）に沿って切断されていることを特徴とする請求項１または２記載の水平保持袋。
【請求項４】
熱可塑性樹脂材料からなる変形自在な袋体であって、
袋本体（１）の開口部（11）近傍の周縁に沿って切込部（23）が設けられており、この切込部（23）の上縁側に把手部（２）が形成されている一方、
前記袋本体（１）の底側近傍の周縁に沿って切込部（32）が設けられており、この切込部（32）の上縁側が二列に止着されて底面（12）が形成され、かつ、下縁側に帯部（30ａ）が形成されており、この切込部（32）によって、前記把手部（２）の下方における、袋本体（１）の底面（12）近傍の挿通部（３）が構成されており、
前記袋本体（１）の底面（12）の上に収容物を載置した状態で、前記把手部（２）を挿通部（３）に挿通して、
当該把手部（２）を頂点（21）に向けて鉛直上方に引き上げることによって、
収容物が自重によって静止した状態で、把手部（２）の端部同士が近接して開口部（11）が閉塞されるとともに、
帯部（30ａ）の端部同士が底面（12）の上方で互いに寄り合うことによって、収容物の下面周縁が袋本体（１）の底面（12）ないし側面（13）に支持されて、
当該収容物を略水平姿勢に保持して吊支できることを特徴とする水平保持袋。
【請求項５】
熱可塑性樹脂材料からなる変形自在な袋体であって、
袋本体（１）の開口部（11）近傍の周縁に沿って切込部（23）が設けられており、この切込部（23）の上縁側に把手部（２）が形成されている一方、
前記袋本体（１）の底面（12）近傍の周縁には長手部材（30）が接合されて、前記把手部（２）の下方における、袋本体（１）の側面（13）と長手部材（30）との間に挿通部（３）が形成されており、
前記袋本体（１）の底面（12）の上に収容物を載置した状態で、前記把手部（２）を挿通部（３）に挿通して、
当該把手部（２）を頂点（21）に向けて鉛直上方に引き上げることによって、
収容物が自重によって静止した状態で、把手部（２）の端部同士が近接して開口部（11）が閉塞されるとともに、
長手部材（30）の接合部（31）同士が底面（12）の上方で互いに寄り合うことによって、収容物の下面周縁が袋本体（１）の底面（12）ないし側面（13）に支持されて、
当該収容物を略水平姿勢に保持して吊支できることを特徴とする水平保持袋。
【請求項６】
熱可塑性樹脂材料からなる変形自在な袋体であって、
袋本体（１）の開口部（11）近傍の周縁に長手部材（20）が一対の基端部（22）において接合されて、把手部（２）が形成されている一方、
前記袋本体（１）の底側近傍の周縁に沿って切込部（32）が設けられており、この切込部（32）の上縁側が二列に止着されて底面（12）が形成され、かつ、下縁側に帯部（30ａ）が形成されており、この切込部（32）によって、前記把手部（２）の下方における、袋本体（１）の底面（12）近傍の挿通部（３）が構成されており、
前記袋本体（１）の底面（12）の上に収容物を載置した状態で、前記把手部（２）を挿通部（３）に挿通して、
当該把手部（２）を頂点（21）に向けて鉛直上方に引き上げることによって、
収容物が自重によって静止した状態で、把手部（２）の基端部（22）同士が近接して開口部（11）が閉塞されるとともに、
帯部（30ａ）の端部同士が底面（12）の上方で互いに寄り合うことによって、収容物の下面周縁が袋本体（１）の底面（12）ないし側面（13）に支持されて、
当該収容物を略水平姿勢に保持して吊支できることを特徴とする水平保持袋。
【請求項７】
熱可塑性樹脂材料からなる基材シート（10）の側方を内側に折り込んで、長手部材（30）の配設部位近傍を山折り線とするガゼット（12Ａ）を形成して、
熱可塑性樹脂材料からなる細幅シート状の長手部材（20・30）を前記基材シート（10）の進行方向に並行してそれぞれ挿入して、この基材シート（10）の表面に互いに平行に配設し、
前記長手部材（20）の一部を所定間隔でそれぞれ基材シート（10）の表面に熱融着して把手部（２）を成形する一方、
長手部材（30）の一部を所定間隔でそれぞれ基材シート（10）の表面に熱融着して挿通部（３）を成形するとともに、
前記長手部材（20・30）およびガゼット（12Ａ）の側縁部（14）近傍のシート重畳部全てを当該側縁部に沿って一体に熱融着して底面（12）を形成し、
前記側縁部（14）を順次切り離すことによって、袋体を連続的に成形することを特徴とする水平保持袋の製造方法。
【請求項８】
長手部材（20・30）を細幅シート状にして、これらの長手部材を互いに平行に配設し、少なくとも長手部材（30）の接合部（31）を、袋本体（１）の側面（13）に対して曲線状境界で熱融着することを特徴とする請求項７記載の水平保持袋の製造方法。
【請求項９】
袋本体（１）の底面（12）の端部における底接合部（12Ｂ）を、長手部材（30）を含めて一体に熱融着して、かつ、この底接合部（12Ｂ）に沿って切断することを特徴とする請求項７または８記載の水平保持袋の製造方法。
【請求項１０】
熱可塑性樹脂材料からなる基材シート（10）の側方を内側に折り込んで、山折り線とするガゼット（12Ａ）を形成して、
基材シート（10）の開口部（11）側の近傍の周縁に沿って切込部（23）を設けて、この切込部（23）の上縁側に把手部（２）を成形する一方、
基材シート（10）の底側近傍の周縁に沿って切込部（32）を設けて挿通部（３）を成形するとともに、
この切込部（32）の上縁側を二列に止着して底面（12）を形成して、かつ、下縁側に帯部（30ａ）を形成して、
ガゼット（12Ａ）の側縁部（14）近傍および切込部（32）の両端部のシート重畳部を一体に熱融着して底面（12）を形成し、
前記側縁部（14）を順次切り離すことによって、袋体を連続的に成形することを特徴とする水平保持袋の製造方法。
【請求項１１】
熱可塑性樹脂材料からなる基材シート（10）の側方を内側に折り込んで、長手部材（30）の配設部位近傍を山折り線とするガゼット（12Ａ）を形成して、
基材シート（10）の開口部（11）側の近傍の周縁に沿って切込部（23）を設けて、この切込部（23）の上縁側に把手部（２）を成形する一方、
熱可塑性樹脂材料からなる細幅シート状の長手部材（30）を前記基材シート（10）の進行方向に並行して挿入して、この基材シート（10）の表面に互いに平行に配設し、長手部材（30）の一部を所定間隔でそれぞれ基材シート（10）の表面に熱融着して挿通部（３）を成形するとともに、
前記長手部材（30）およびガゼット（12Ａ）の側縁部（14）近傍のシート重畳部全てを当該側縁部に沿って一体に熱融着して底面（12）を形成し、
前記側縁部（14）を順次切り離すことによって、袋体を連続的に成形することを特徴とする水平保持袋の製造方法。
【請求項１２】
熱可塑性樹脂材料からなる基材シート（10）の側方を内側に折り込んで、山折り線とするガゼット（12Ａ）を形成して、
熱可塑性樹脂材料からなる細幅シート状の長手部材（20）を前記基材シート（10）の進行方向に並行して挿入して、この基材シート（10）の表面に互いに平行に配設し、
前記長手部材（20）の一部を所定間隔でそれぞれ基材シート（10）の表面に熱融着して把手部（２）を成形する一方、
基材シート（10）の底側近傍の周縁に沿って切込部（32）を設けて挿通部（３）を成形するとともに、
この切込部（32）の上縁側を二列に止着して底面（12）を形成して、かつ、下縁側に帯部（30ａ）を形成して、
ガゼット（12Ａ）の側縁部（14）近傍および切込部（32）の両端部のシート重畳部を一体に熱融着して底面（12）を形成し、
前記側縁部（14）を順次切り離すことによって、袋体を連続的に成形することを特徴とする水平保持袋の製造方法。
【発明の詳細な説明】
【技術分野】
【０００１】
本発明は、運搬用の簡易な袋体の改良、更に詳しくは、平たい弁当の容器と比較的重量な飲料容器とを同時に収容した場合などであっても、袋体が圧縮して収容物を締め付け、抱き込むように確実に固定して重心偏倚を防止し、略水平姿勢に保持することができる水平保持袋およびその製造方法に関するものである。
【背景技術】
【０００２】
周知のとおり、コンビニエンスストアやスーパーマーケット等の小売店で持ち帰りの弁当を購入した場合には、この平たい弁当の容器が傾いて中身が乱れないように、できるだけ水平姿勢を保持しながら運搬する必要がある。
【０００３】
従来、かかる運搬用の袋体は、ポリオレフィン系などの熱可塑性樹脂の薄手のシート材で作製した簡易なものが多く、収容物の安定性が十分でなかったことから、袋の四隅に圧着部を設けることで弁当容器を水平に保持しようとするものが開示されている（例えば、特許文献１参照）。
【０００４】
しかしながら、かかる構造の袋体では、ペットボトルなどの飲料容器も同時に収容する場合に、この飲料容器は比較的重量であるため、この飲料容器が袋内で転がったり横滑りしたりして移動した場合には、収容物の重心が中心から偏倚してしまうため、弁当の容器が傾いて中身が乱れたりこぼれてしまうという問題があった。
【先行技術文献】
【特許文献】
【０００５】
【特許文献１】特開２０１２−１３０６３２号公報
【発明の概要】
【発明が解決しようとする課題】
【０００６】
本発明は、従来の運搬用の簡易な袋体に上記のような問題があったことに鑑みて為されたものであり、その目的とするところは、平たい弁当の容器と比較的重量な飲料容器とを同時に収容した場合などであっても、袋体が圧縮して収容物を締め付け、抱き込むように確実に固定して重心偏倚を防止し、略水平姿勢に保持することができる水平保持袋およびその製造方法を提供することにある。
【課題を解決するための手段】
【０００７】
本発明者が上記技術的課題を解決するために採用した手段を、添付図面を参照して説明すれば、次のとおりである。
【０００８】
即ち、本発明は、熱可塑性樹脂材料からなる変形自在な袋体であって、袋本体１の開口部11近傍の周縁に長手部材20を一対の基端部22において接合して、把手部２を形成する一方、前記袋本体１の底面12近傍の周縁には長手部材30を接合して、前記把手部２の下方における、袋本体１の側面13と長手部材30との間に挿通部３を形成し、
前記袋本体１の底面12の上に収容物を載置した状態で、前記把手部２を挿通部３に挿通して、当該把手部２を頂点21に向けて鉛直上方に引き上げることによって、収容物が自重によって静止した状態で、把手部２の基端部22同士が近接して開口部11が閉塞されるとともに、長手部材30の接合部31同士が底面12の上方で互いに寄り合うことによって、収容物の下面周縁が袋本体１の底面12ないし側面13に支持されて、当該収容物を略水平姿勢に保持して吊支できるようにするという技術的手段を採用したことによって、水平保持袋を完成させた。
【０００９】
また、本発明は、上記課題を解決するために、必要に応じて上記手段に加え、長手部材20・30を細幅シート状にして、これらの長手部材を互いに平行に配設して、少なくとも長手部材30の接合部31を、袋本体１の側面13に対して曲線状境界で熱融着するという技術的手段を採用することもできる。
【００１０】
更にまた、本発明は、上記課題を解決するために、必要に応じて上記手段に加え、袋本体１の底面12の端部における底接合部12Ｂを、長手部材30を含めて一体に熱融着して、かつ、この底接合部12Ｂに沿って切断するという技術的手段を採用することもできる。
【００１１】
また、本発明は、熱可塑性樹脂材料からなる変形自在な袋体であって、袋本体１の開口部11近傍の周縁に沿って切込部23を設けて、この切込部23の上縁側に把手部２を形成する一方、
前記袋本体１の底側近傍の周縁に沿って切込部32を設けて、この切込部32の上縁側を二列に止着して底面12を形成して、かつ、下縁側に帯部30ａを形成し、この切込部32によって、前記把手部２の下方における、袋本体１の底面12近傍の挿通部３を構成し、
前記袋本体１の底面12の上に収容物を載置した状態で、前記把手部２を挿通部３に挿通して、当該把手部２を頂点21に向けて鉛直上方に引き上げることによって、収容物が自重によって静止した状態で、把手部２の端部同士が近接して開口部11が閉塞されるとともに、帯部30ａの端部同士が底面12の上方で互いに寄り合うことによって、収容物の下面周縁が袋本体１の底面12ないし側面13に支持されて、当該収容物を略水平姿勢に保持して吊支できるようにするという技術的手段を採用したことによっても、水平保持袋を完成させた。
【００１２】
更にまた、本発明は、熱可塑性樹脂材料からなる変形自在な袋体であって、袋本体１の開口部11近傍の周縁に沿って切込部23を設けて、この切込部23の上縁側に把手部２を形成する一方、前記袋本体１の底面12近傍の周縁には長手部材30を接合して、前記把手部２の下方における、袋本体１の側面13と長手部材30との間に挿通部３を形成し、
前記袋本体１の底面12の上に収容物を載置した状態で、前記把手部２を挿通部３に挿通して、当該把手部２を頂点21に向けて鉛直上方に引き上げることによって、収容物が自重によって静止した状態で、把手部２の端部同士が近接して開口部11が閉塞されるとともに、長手部材30の接合部31同士が底面12の上方で互いに寄り合うことによって、収容物の下面周縁が袋本体１の底面12ないし側面13に支持されて、当該収容物を略水平姿勢に保持して吊支できるようにするという技術的手段を採用したことによっても、水平保持袋を完成させた。
【００１３】
更にまた、本発明は、熱可塑性樹脂材料からなる変形自在な袋体であって、袋本体１の開口部11近傍の周縁に長手部材20を一対の基端部22において接合して、把手部２を形成する一方、前記袋本体１の底側近傍の周縁に沿って切込部32を設けて、この切込部32の上縁側を二列に止着して底面12を形成して、かつ、下縁側に帯部30ａを形成し、この切込部32によって、前記把手部２の下方における、袋本体１の底面12近傍の挿通部３を構成し、
前記袋本体１の底面12の上に収容物を載置した状態で、前記把手部２を挿通部３に挿通して、当該把手部２を頂点21に向けて鉛直上方に引き上げることによって、収容物が自重によって静止した状態で、把手部２の基端部22同士が近接して開口部11が閉塞されるとともに、帯部30ａの端部同士が底面12の上方で互いに寄り合うことによって、収容物の下面周縁が袋本体１の底面12ないし側面13に支持されて、当該収容物を略水平姿勢に保持して吊支できるようにするという技術的手段を採用したことによっても、水平保持袋を完成させた。
【００１４】
また、本発明は、熱可塑性樹脂材料からなる基材シート10の側方を内側に折り込んで、長手部材30の配設部位近傍を山折り線とするガゼット12Ａを形成して、
熱可塑性樹脂材料からなる細幅シート状の長手部材20・30を前記基材シート10の進行方向に並行してそれぞれ挿入して、この基材シート10の表面に互いに平行に配設し、
前記長手部材20の一部を所定間隔でそれぞれ基材シート10の表面に熱融着して把手部２を成形する一方、
長手部材30の一部を所定間隔でそれぞれ基材シート10の表面に熱融着して挿通部３を成形するとともに、
前記長手部材20・30およびガゼット12Ａの側縁部14近傍のシート重畳部全てを当該側縁部に沿って一体に熱融着して底面12を形成し、
こうして完成した袋基材の側縁部14を順次切り離すことによって、袋体を連続的に成形するという技術的手段を採用したことによって、水平保持袋の製造方法を完成させた。
【００１５】
更にまた、本発明は、上記課題を解決するために、必要に応じて上記手段に加え、長手部材20・30を細幅シート状にして、これらの長手部材を互いに平行に配設し、少なくとも長手部材30の接合部31を、袋本体１の側面13に対して曲線状境界で熱融着するという技術的手段を採用することもできる。
【００１６】
更にまた、本発明は、上記課題を解決するために、必要に応じて上記手段に加え、袋本体１の底面12の端部における底接合部12Ｂを、長手部材30を含めて一体に熱融着して、かつ、この底接合部12Ｂに沿って切断するという技術的手段を採用することもできる。
【００１７】
また、本発明は、熱可塑性樹脂材料からなる基材シート10の側方を内側に折り込んで、山折り線とするガゼット12Ａを形成して、
基材シート10の開口部11側の近傍の周縁に沿って切込部23を設けて、この切込部23の上縁側に把手部２を成形する一方、
基材シート10の底側近傍の周縁に沿って切込部32を設けて挿通部３を成形するとともに、
この切込部32の上縁側を二列に止着して底面12を形成して、かつ、下縁側に帯部30ａを形成して、
ガゼット12Ａの側縁部14近傍および切込部32の両端部のシート重畳部を一体に熱融着して底面12を形成し、
前記側縁部14を順次切り離すことによって、袋体を連続的に成形するという技術的手段を採用したことによって、水平保持袋の製造方法を完成させた。
【００１８】
更にまた、本発明は、熱可塑性樹脂材料からなる基材シート10の側方を内側に折り込んで、長手部材30の配設部位近傍を山折り線とするガゼット12Ａを形成して、
基材シート10の開口部11側の近傍の周縁に沿って切込部23を設けて、この切込部23の上縁側に把手部２を成形する一方、
熱可塑性樹脂材料からなる細幅シート状の長手部材30を前記基材シート10の進行方向に並行して挿入して、この基材シート10の表面に互いに平行に配設し、長手部材30の一部を所定間隔でそれぞれ基材シート10の表面に熱融着して挿通部３を成形するとともに、
前記長手部材30およびガゼット12Ａの側縁部14近傍のシート重畳部全てを当該側縁部に沿って一体に熱融着して底面12を形成し、
前記側縁部14を順次切り離すことによって、袋体を連続的に成形するという技術的手段を採用したことによって、水平保持袋の製造方法を完成させた。
【００１９】
更にまた、本発明は、熱可塑性樹脂材料からなる基材シート10の側方を内側に折り込んで、山折り線とするガゼット12Ａを形成して、
熱可塑性樹脂材料からなる細幅シート状の長手部材20を前記基材シート10の進行方向に並行して挿入して、この基材シート10の表面に互いに平行に配設し、
前記長手部材20の一部を所定間隔でそれぞれ基材シート10の表面に熱融着して把手部２を成形する一方、
基材シート10の底側近傍の周縁に沿って切込部32を設けて挿通部３を成形するとともに、
この切込部32の上縁側を二列に止着して底面12を形成して、かつ、下縁側に帯部30ａを形成して、
ガゼット12Ａの側縁部14近傍および切込部32の両端部のシート重畳部を一体に熱融着して底面12を形成し、
前記側縁部14を順次切り離すことによって、袋体を連続的に成形するという技術的手段を採用したことによって、水平保持袋の製造方法を完成させた。
【発明の効果】
【００２０】
本発明は、袋本体の開口部近傍の周縁に長手部材を一対の基端部において接合して、把手部を形成する一方、前記袋本体の底面近傍の周縁には長手部材を接合して、前記把手部の下方における、袋本体の側面と長手部材との間に挿通部を形成して構成したことによって、
前記袋本体の底面の上に収容物を載置した状態で、前記把手部を挿通部に挿通して、当該把手部を頂点に向けて鉛直上方に引き上げることによって、収容物が自重によって静止した状態で、把手部の基端部同士が近接して開口部が閉塞されるとともに、長手部材の接合部同士が底面の上方で互いに寄り合うことによって、収容物の下面周縁が袋本体の底面ないし側面に支持されて、当該収容物を略水平姿勢に保持して吊支することができる。
【００２１】
したがって、本発明の水平保持袋によれば、平たい弁当の容器と比較的重量な飲料容器とを同時に収容した場合などであっても、袋体が圧縮して収容物を締め付け、抱き込むように確実に固定して重心偏倚を防止し、略水平姿勢に保持することができることから、産業上の利用価値は頗る大きい。
【図面の簡単な説明】
【００２２】
【図１】本発明の第１実施形態の水平保持袋を表わす斜視図である。
【図２】本発明の第１実施形態の水平保持袋の製造工程を表わす断面図である。
【図３】本発明の第１実施形態の水平保持袋の製造工程を表わす断面図である。
【図４】本発明の第１実施形態の水平保持袋の製造工程を表わす上面図である。
【図５】本発明の第１実施形態の水平保持袋の製造工程を表わす断面図である。
【図６】本発明の第１実施形態の水平保持袋の製造工程を表わす上面図である。
【図７】本発明の第１実施形態の水平保持袋の製造工程を表わす上面図である。
【図８】本発明の第１実施形態の水平保持袋の製造工程を表わす上面図である。
【図９】本発明の第１実施形態の水平保持袋の変形例の製造工程を表わす上面図である。
【図１０】本発明の第１実施形態の水平保持袋の変形例の製造工程を表わす上面図である。
【図１１】本発明の第１実施形態の水平保持袋の使用状態を表わす上面図である。
【図１２】本発明の第１実施形態の水平保持袋の使用状態を表わす斜視図である。
【図１３】本発明の第１実施形態の水平保持袋の使用状態を表わす斜視図である。
【図１４】本発明の第２実施形態の水平保持袋を表わす斜視図である。
【図１５】本発明の第２実施形態の水平保持袋の製造工程を表わす断面図である。
【図１６】本発明の第２実施形態の水平保持袋の製造工程を表わす断面図である。
【図１７】本発明の第２実施形態の水平保持袋の製造工程を表わす上面図である。
【図１８】本発明の第２実施形態の水平保持袋の製造工程を表わす上面図である。
【図１９】本発明の第２実施形態の水平保持袋の製造工程を表わす上面図である。
【図２０】本発明の第３実施形態の水平保持袋を表わす斜視図である。
【図２１】本発明の第４実施形態の水平保持袋を表わす斜視図である。
【発明を実施するための形態】
【００２３】
『第１実施形態』
本発明の第１実施形態を図１から図１３に基づいて説明する。図１中、符号１で指示するものは袋本体であり、また、符号２で指示するものは把手部であり、符号３で指示するものは挿通部である。
【００２４】
＜水平保持袋の構成＞
まず、本実施形態の水平保持袋の構成について以下に説明する。図１に示すように、本実施形態の水平保持袋は、熱可塑性樹脂材料からなる変形自在な袋体である。使用材料としては、ポリプロピレン（ＰＰ）やポリエチレン（ＰＥ）等のポリオレフィン系の熱可塑性樹脂を採用し、薄手のシート材からなる。
【００２５】
そして、袋本体１の開口部11近傍の周縁に長手部材20が一対の基端部22において接合されて、これら基端部22・22間に把手部２が形成されており、使用者はこの把手部２を持つことができる。本実施形態における長手部材20には細幅シート状のものを採用するが、ロープ状の厚みのあるものを採用することもできる。
【００２６】
また、前記袋本体１の底面12近傍の周縁には長手部材30が接合されて、前記把手部２の下方における、袋本体１の側面13と長手部材30との間に挿通部３が形成されている。本実施形態における長手部材30には細幅シート状のものを採用する。また、挿通部３の間隔は、基端部22・22の間隔（把手部２の長さ）よりも狭くなっている。
【００２７】
なお、本実施形態では、長手部材20・30の終端部を、袋本体１の側縁部14に一体に熱融着することができ、長手部材と袋本体１との結合を強固にすることができて、負荷による剥離を防止することができる。
【００２８】
また、本実施形態では、袋本体１の底部12の底接合部12Ｂを熱融着することによって、底面12の端部の傾斜を滑らかにして、綺麗な方形状にすることができる。この底接合部12Ｂは、長手部材30も含めて一体に熱融着することができ、長手部材30の剥離を防止することができる。更に、この底接合部12Ｂに沿って切断することができ、底接合部12Ｂを設けた方が袋の底側であることが一目瞭然に識別できるため、使用者がスムースに収容作業を行うことができる。
【００２９】
＜水平保持袋の製造方法＞
次に、本実施形態の水平保持袋の製造方法について以下に説明する。本実施形態では、公知の製袋機を用いて、熱可塑性樹脂材料からなる基材シート10をコンベア等で移送される製造ラインに送り出す。
【００３０】
本実施形態においては、連続的に送り出される基材シート10における１製造単位（袋１枚分）のみを図示しており、更に、より効率的に袋体を製造することができるように、左右対称的に袋２枚分を同時成形できるものについて表している。
【００３１】
まず、この基材シート10の側方を内側に折り込んで、長手部材30の配設部位近傍を山折り線とするガゼット12Ａを形成する。
【００３２】
この際、基材シート10は、一枚もののシートを採用することもできるが、成形の容易性から筒状のものを採用して上面中心線を切開することもできる。また、側方から当て板Ａを挿入して折り込んで、この際に初めてガゼット12Ａを形成するものではなく、熱融着（ヒートシール）加工する製袋機に送り出す前に予めガゼット12Ａが形成された基材シート10を使用することもできる。
【００３３】
次いで、図２および図３に示すように、熱可塑性樹脂材料からなる細幅シート状の長手部材20・30を前記基材シート10の進行方向に並行してそれぞれ挿入して、この基材シート10の表面に互いに平行に配設する。
【００３４】
そして、図４に示すように、前記長手部材20の一部を所定間隔でそれぞれ基材シート10の表面（基端部22）に熱融着して把手部２を成形する一方、長手部材30の一部を所定間隔でそれぞれ基材シート10の表面（接合部31）に熱融着して挿通部３を成形する。
【００３５】
この熱融着部分は、使用時に長手部材が直交方向等にねじれて引っ張られることを考慮して、長手部材の配設方向に対して所定の角度（例えば４５度）に傾斜させた直線状のものにしたり、後述する曲線状境界にすることができる。なお、これらの熱融着加工の際には、別部位への誤融着防止のために当て板Ａを裏側に挿入して加工する。
【００３６】
袋本体に挿入されたこの当て板Ａにより、当て板Ａの上面と下面の両方から各長手部材重畳部を独立して熱融着することができ、かつ、不要な袋本体との融着を防止することができる。なお、本実施形態では、熱融着部分は、一直線状のものを１本形成するが、複数本形成したり、曲線、破線などの形状にすることもできる。
【００３７】
更に、図５および図６に示すように、底接合部12Ｂを熱融着することによって、底面12の端部の傾斜を滑らかにして、綺麗な方形状にすることができる。この底接合部12Ｂは、長手部材30も含めて一体に熱融着することができ、長手部材30の剥離を防止することができる。これら図３〜図６に示した工程は、それぞれ独立して行うこともできるが、同時に行うこともできる。
【００３８】
そして、前記当て板Ａを除去（基材シート10の移送により、当て板Ａ設置位置を通過）して、前記長手部材20・30およびガゼット12Ａの側縁部14近傍のシート重畳部全てを当該側縁部に沿って一体に熱融着して底面12を形成する（図７参照）。
【００３９】
こうして完成した袋基材の側縁部14を順次切り離すことによって、袋体を連続的に成形することができるのである。この切り離し工程と図７に示す側縁部14近傍の熱融着工程とは、それぞれ独立して行うこともできるが、同時に行うこともできる。なお、１袋単位の両端を基準に図示してきたが、隣り合う次の袋体の端部を同時に成形加工しながら袋基材の側縁部を切り離していくこともできる（図８参照）。
【００４０】
本実施形態の変形例として、図９に示すように、長手部材20・30が細幅シート状であって、これらの長手部材は互いに平行に配設して、少なくとも長手部材30の接合部31を、袋本体１の側面13に対して曲線状境界で熱融着することができる。この曲線状境界は略円弧状が好ましく、熱融着部分は、境界を曲線状にすれば、線状や面状にすることができる。こうすることにより、使用時に長手部材が引っ張られる際に、融着部に局部的な負荷が集中することがないので、剥離を効果的に防止することができる。
【００４１】
また、図１０に示すように、底面12の端部における底接合部12Ｂを、長手部材30を含めて一体に熱融着して、かつ、この底接合部12Ｂに沿って切断することができ、底面12の端部の傾斜を滑らかにすることができる。また、底接合部12Ｂを設けた方が袋の底側であることが一目瞭然に識別できるため、使用者がスムースに収容作業を行うことができる。更にまた、使用材料の減少に繋がる上に、この際に発生した切れ端をリサイクル原料にすることもできて、非常に経済的である。
【００４２】
なお、本発明の水平保持袋は、連続的でなくとも良く、１袋単位ずつ成形することもできるし、製造工程において基材シート10の進行方向が９０度異なる方向の場合でも、１袋単位のものを成形することが可能である。
【００４３】
＜水平保持袋の使用方法＞
次に、本実施形態の水平保持袋の使用方法について以下に説明する。まず、図１に示したように、袋本体１の上面を開口する。そして、この袋本体１の底面12の上に収容物を載置した状態で、前記把手部２を挿通部３に挿通し、挿通させながら把手部２を反対方向に引っ張ると、開口部11は、各縁部が互いに寄り合って閉じる（図１１参照）。この収容物とは、小売店で提供される持ち帰り弁当用の平たい容器などのほか、同時に購入されることの多いペットボトルなどの飲料容器も含まれる。
【００４４】
そして、図１２に示すように、当該把手部２を頂点21に向けて鉛直上方に引き上げることによって、収容物が自重によって静止した状態で、把手部２の基端部22同士が近接して、開口部11が閉塞される。
【００４５】
この際、把手部２が挿通部３（両長手部材の重なり部分）を引き上げることにより、挿通部３両端の接合部31同士が寄り合い、かつ、握る際に把手部２の頂点21同士が上方で寄り合わされることによって両側面に設けられた長手部材30同士も引き寄せられるため、底面12の四方の隅角部に位置する長手部材30の接合部31同士が、底面12の上方で互いに内側に向かって引っ張られて持ち上げられて寄り合うことによって、収容物の下面周縁が袋本体１の底面12ないし側面13に支持されて、当該収容物を略水平姿勢に保持して吊支することができる。
【００４６】
こうして吊支した収容物は、袋本体１の上部が圧縮して締め付けた状態で支持されていて非常に安定的であるため、弁当容器の上に飲料容器を載置する場合などにおいても、飲料容器がズレにくくて安定的であり、仮に、飲料容器が中心から動いて重心が偏倚した場合であっても、確実に固定して弁当容器を水平に保持することができる。
【００４７】
なお、袋本体１の開口部11の閉塞作用については、通常、袋本体１の開口部11から収容物が突出していない場合には略完全に閉塞することができるが、図１３に示すように、カップ等の収容物が、弁当容器の上面に載置されるなどして開口部11から突出した場合は、この収容物（カップ）の外周面と開口部11の縁部とが密接することによって閉塞することができ、四方から挟持して安定的に起立保持することができる。
【００４８】
『第２実施形態』
本発明の第２実施形態を図１４から図１９に基づいて説明する。本実施形態では、長手部材20・30を袋本体１（基材シート10）に付加することなく、把手部２および挿通部３をそれぞれ形成するものであり、１枚の基材シート10のみで本発明の機能および効果を発揮する袋体１を一体に構成できる点に特徴を有するものである。
【００４９】
＜水平保持袋の構成＞
本実施形態の水平保持袋の構成について図１４に基づいて以下に説明する。本実施形態では、袋本体１の開口部11近傍の周縁に沿って切込部23が設けられており、この切込部23の上縁側に把手部２が一体に形成されている。
【００５０】
そして、前記袋本体１の底側近傍の周縁（具体的には５ｃｍ程度）に沿って切込部32が設けられており、この切込部32の上縁側がそれぞれ独立的に二列に止着（本実施形態では熱融着）されて（底止着部12Ｃが成形されて）底面12が形成され、かつ、下縁側に帯部30ａが形成されている。こうして二つの底止着部12Ｃ・12Ｃと、ガゼット12ＡとがＷ型に一体化されて底面12が形成される。また、本実施形態では、帯部30ａの切断面を切りっ放しにしてあるが、熱融着により適宜止着することもできる。
【００５１】
そして、この切込部32によって、前記把手部２の下方における、袋本体１の底面12近傍の挿通部３を構成する。このようにして袋体１を一体成形することができる
【００５２】
＜水平保持袋の製造方法＞
次に、本実施形態の水平保持袋の製造方法について以下に説明する。本実施形態では、第１実施形態と同様に、公知の製袋機を用いて、熱可塑性樹脂材料からなる基材シート10をコンベア等で移送される製造ラインに送り出す。
【００５３】
本実施形態においては、連続的に送り出される基材シート10における１製造単位（袋１枚分）のみを図示しており、更に、より効率的に袋体を製造することができるように、左右対称的に袋２枚分を同時成形できるものについて表している。
【００５４】
まず、この基材シート10の側方を内側に折り込んで、山折り線とするガゼット12Ａを形成する。
【００５５】
この際、基材シート10は、一枚もののシートを採用することもできるが、成形の容易性から筒状のものを採用して上面中心線を切開することもできる。また、側方から当て板Ａを挿入して折り込んで、この際に初めてガゼット12Ａを形成するものではなく、熱融着（ヒートシール）加工する製袋機に送り出す前に予めガゼット12Ａが形成された基材シート10を使用することもできる。
【００５６】
次いで、図１５に示すように、基材シート10（後の袋本体１）の開口部11側の近傍の周縁に沿って切込部23を設けて、この切込部23の上縁側に把手部２を成形する。
【００５７】
そして、基材シート10（後の袋本体１）の底側近傍の周縁に沿って切込部32を設けて挿通部３を成形するとともに、この切込部32の上縁側を上下それぞれ独立的に二列に止着して底面12を形成して（Ｗ型を構成し）、かつ、下縁側に帯部30ａを形成する（図１６および図１７参照）。
【００５８】
また、本実施形態では、図１８に示すように、袋本体１の切込部32および底止着部12Ｃの側縁部において底接合部12Ｂを熱融着することによって、底面12の端部の傾斜を滑らかにして、開いた時に綺麗な方形状の底面にすることができる。
【００５９】
然る後、図１９に示すように、前記当て板Ａを除去（基材シート10の移送により、当て板Ａ設置位置を通過）して、ガゼット12Ａの側縁部14近傍および切込部32の両端部のシート重畳部を一体に熱融着して底面12を形成することができる。
【００６０】
こうして完成した袋基材の側縁部14を順次切り離すことによって、袋体を連続的に成形することができるのである。この切り離し工程と図１８に示す側縁部14近傍の熱融着工程とは、それぞれ独立して行うこともできるが、同時に行うこともできる。なお、１袋単位の両端を基準に図示してきたが、隣り合う次の袋体の端部を同時に成形加工しながら袋基材の側縁部を切り離していくこともできる。
【００６１】
また、図示しないが、この底接合部12Ｂに沿って切断することができ、底接合部12Ｂを設けた方が袋の底側であることが一目瞭然に識別できるため、使用者がスムースに収容作業を行うことができる。
【００６２】
＜水平保持袋の使用方法＞
本実施形態の水平保持袋の使用方法にあっては、第１実施形態における把手部２および挿通部３の成形における長手部材の有無のみが構成の相違点であるため、第１実施形態と同様にして、把手部２を挿通部３に挿通して、把手部２を頂点21に向けて鉛直上方に引き上げることによって、収容物を略水平姿勢に保持して吊支することができる。
【００６３】
『第３実施形態』
次に、本発明の第３実施形態を図２０に基づいて説明する。本実施形態では、第１実施形態の構成のうち、下側に長手部材30を設けて挿通部３を形成する点を採用する一方、上側は第２実施形態の構成のうち、切込部23によって把手部２を形成した点を採用することによって構成したものである。
【００６４】
この第３実施形態の袋体１であっても、第１実施形態および第２実施形態と同様の使用方法を用いて、弁当の容器等を袋体１の内部に収容した後、把手部２を挿通部３に挿通して、把手部２を頂点21に向けて鉛直上方に引き上げることによって、収容物を略水平姿勢に保持して吊支することができる。
【００６５】
『第４実施形態』
更に、本発明の第４実施形態を図２１に基づいて説明する。本実施形態では、第１実施形態の構成のうち、上側に長手部材20を設けて把手部２を形成する点を採用する一方、下側は第２実施形態の構成のうち、切込部32によって挿通部３を形成した点を採用するものである。
【００６６】
この第４実施形態の袋体１であっても、第１実施形態および第２実施形態と同様の使用方法を用いて、弁当の容器等を袋体１の内部に収容した後、把手部２を挿通部３に挿通して、把手部２を頂点21に向けて鉛直上方に引き上げることによって、収容物を略水平姿勢に保持して吊支することができる。
【００６７】
本発明は、概ね上記のように構成されるが、図示の実施形態に限定されるものでは決してなく、「特許請求の範囲」の記載内において種々の変更が可能であって、例えば、袋本体１と長手部材との融着箇所および範囲は、設計強度に応じて増加することができる。
【００６８】
また、袋本体１の色と長手部材の色とを異なるものにして、把手部の挿通部への挿通作業性を向上させることもでき、これら何れのものも本発明の技術的範囲に属する。
【符号の説明】
【００６９】
１    袋本体
10    基材シート
11    開口部
12    底面
12Ａ  ガゼット
12Ｂ  底接合部
12Ｃ  底止着部
13    側面
14    側縁部
２    把手部
20    長手部材
21    頂点
22    基端部
23    切込部
３    挿通部
30    長手部材
30ａ  帯体
31    接合部
32    切込部
【要約】
【課題】  平たい弁当の容器と比較的重量な飲料容器とを同時に収容した場合などであっても、袋体が圧縮して収容物を締め付け、抱き込むように確実に固定して重心偏倚を防止し、略水平姿勢に保持することができる水平保持袋およびその製造方法を提供すること。
【解決手段】  熱可塑性樹脂材料からなる変形自在な袋体であって、袋本体１の開口部11近傍の周縁に長手部材20を一対の基端部22において接合して、把手部２を形成する一方、前記袋本体１の底面12近傍の周縁には長手部材30を接合して、前記把手部２の下方における、袋本体１の側面13と長手部材30との間に挿通部３を形成する。
【選択図】  図１２【図１】
0006048903.tif 000002
【図２】
0006048903.tif 000003
【図３】
0006048903.tif 000004
【図４】
0006048903.tif 000005
【図５】
0006048903.tif 000006
【図６】
0006048903.tif 000007
【図７】
0006048903.tif 000008
【図８】
0006048903.tif 000009
【図９】
0006048903.tif 000010
【図１０】
0006048903.tif 000011
【図１１】
0006048903.tif 000012
【図１２】
0006048903.tif 000013
【図１３】
0006048903.tif 000014
【図１４】
0006048903.tif 000015
【図１５】
0006048903.tif 000016
【図１６】
0006048903.tif 000017
【図１７】
0006048903.tif 000018
【図１８】
0006048903.tif 000019
【図１９】
0006048903.tif 000020
【図２０】
0006048903.tif 000021
【図２１】
0006048903.tif 000022